(57)【要約】【課題】二剤形式の毛髪化粧料の使用に際し、第１剤と第２剤を混合皿に吐出させてそれらの混合状態を目視で確認することを可能とし、かつ各剤をそれぞれ混合皿に吐出させるという煩雑さを解消する。【解決手段】毛髪化粧料の第１剤を充填した容器１Ａａと毛髪化粧料の第２剤を充填した容器１Ａｂの少なくとも２つの容器上に取り付けられ、各容器１Ａａ、１Ａｂの吐出口２から吐出された剤を互いに混合するために用いる混合皿１０Ａが、該混合皿１０Ａの底面又は側面に、第１の容器１Ａａの吐出口２に連通する第１の剤流入口１２と、第２の容器１Ａｂの吐出口２に連通する第２の剤流入口１２の少なくとも２つの剤流入口を有し、剤流入口１２と連通し、容器１Ａａ、１Ａｂの吐出口２が嵌着する吐出口嵌着部１１を、混合皿１０Ａの背面に有する。【選択図】    図１
2005006773.tif 000002
【特許請求の範囲】
【請求項１】
毛髪化粧料の第１剤を充填した容器と毛髪化粧料の第２剤を充填した容器の少なくとも２つの容器に取り付けられ、各容器の吐出口から吐出された剤を互いに混合するために用いる混合皿であって、該混合皿の底面又は側面に、第１の容器の吐出口に連通する第１の剤流入口と、第２の容器の吐出口に連通する第２の剤流入口の少なくとも２つの剤流入口が設けられ、混合皿の背面に、剤流入口と連通し、容器の吐出口が嵌着する吐出口嵌着部が設けられている混合皿。
【請求項２】
各剤流入口の周りに、該剤流入口から吐出された毛髪化粧料の液流れを特定方向に規制する液流れ方向規制部材が設けられている請求項１記載の混合皿。
【請求項３】
容器上に取り付けられた混合皿を容器側に押し込む際に、混合皿上の押すべき部位を案内する押部が、２つの剤流入口の間に設けられている請求項１又は２記載の混合皿。
【請求項４】
毛髪化粧料の第１剤を充填する容器と毛髪化粧料の第２剤を充填する容器の少なくとも２つの容器、及び請求項１〜３のいずれかに記載の混合皿からなり、該混合皿の吐出口嵌着部に容器の吐出口が嵌着する毛髪化粧料吐出容器。
【請求項５】
容器がエアゾール容器であり、各容器のステムが混合皿の吐出口嵌着部に嵌着する請求項４記載の毛髪化粧料吐出容器。
【請求項６】
容器がポンプ容器であり、各容器のポンプ装置の注出筒が混合皿の吐出口嵌着部に嵌着する請求項４記載の毛髪化粧料吐出容器。
【請求項７】
請求項４〜６のいずれかに記載の毛髪化粧料吐出容器の各容器に毛髪化粧料が充填され、混合皿の吐出口嵌着部に容器の吐出口が嵌着している毛髪化粧品。
【請求項８】
一の容器に染毛剤又は毛髪脱色剤の第１剤が充填され、他の容器に染毛剤又は毛髪脱色剤の第２剤が充填されている請求項７記載の毛髪化粧品。
【発明の詳細な説明】
【０００１】
【発明の属する技術分野】
本発明は、二剤形式の毛髪化粧料の第１剤と第２剤を混合する混合皿、この混合皿と、二剤形式の毛髪化粧料の容器からなる毛髪化粧料吐出容器、及び毛髪化粧品に関する。
【０００２】
【従来の技術】
従来、二剤形式の毛髪化粧料として、例えば、酸化染料を含有する第１剤と、過酸化水素等の酸化剤を含有する第２剤とからなる二剤形式の染毛剤が知られている。また、毛髪脱色剤として、アルカリ剤を含有する第１剤と、過酸化水素を含有する第２剤とからなる二剤形式のものが知られている。
【０００３】
このような毛髪化粧料の製品形態としては、保存安定性の点から、第１剤と第２剤とがそれぞれ別個の容器に収容され、使用時に第１剤と第２剤とを混合皿で混合し、その混合剤を毛髪に塗布するものが一般的である。また、別個のエアゾール容器に収容された第１剤と第２剤が合流された状態で同時にノズルから吐出されるようにしたものも使用されている（特許文献１の図３、図４参照）。
【０００４】
【特許文献１】特開２０００−２９７０１８号公報
【０００５】
【発明が解決しようとする課題】
第１剤と第２剤をそれぞれ混合皿に吐出させて混合する場合には、２つの剤の混合剤を毛髪に塗布する前に、剤の混合状態を目視で確認することができるので、剤の混合が不十分なことによる染めムラを確実に防止することができ、また、混合剤を毛髪に塗布する前に行うパッチテストもやりやすいが、各剤をそれぞれ混合皿に吐出させなくてはならないので煩雑である。
【０００６】
一方、２つの剤が合流した状態で同時にノズルから吐出されるようにしたものでは、各剤をそれぞれ混合皿に吐出させる煩雑さは解消されるが、２つの剤の混合状態を目視で確認することができない。
【０００７】
これに対し、本発明は、二剤形式の毛髪化粧料の使用に際し、第１剤と第２剤を混合皿に吐出させてそれらの混合状態を目視で確認できるようにし、かつ各剤をそれぞれ混合皿に吐出させるという煩雑さを解消することを目的とする。
【０００８】
【課題を解決するための手段】
本発明者は、二剤形式の毛髪化粧料の各剤の容器の吐出口に連通する剤流入口を混合皿に設け、この混合皿を各剤の容器に取り付けると、混合皿の押し下げ等により各剤を同時に混合皿に吐出させることができ、各剤をそれぞれ混合皿に吐出させる煩雑さを解消できることを見出した。
【０００９】
即ち、本発明は、毛髪化粧料の第１剤を充填した容器と毛髪化粧料の第２剤を充填した容器の少なくとも２つの容器に取り付けられ、各容器の吐出口から吐出された剤を互いに混合するために用いる混合皿であって、該混合皿の底面又は側面に、第１の容器の吐出口に連通する第１の剤流入口と、第２の容器の吐出口に連通する第２の剤流入口の少なくとも２つの剤流入口が設けられ、混合皿の背面に、剤流入口と連通し、容器の吐出口が嵌着する吐出口嵌着部が設けられている混合皿を提供する。
【００１０】
また、本発明は、毛髪化粧料の第１剤を充填する容器と毛髪化粧料の第２剤を充填する容器の少なくとも２つの容器、及び上述の混合皿からなり、該混合皿の吐出口嵌着部に容器の吐出口が嵌着する毛髪化粧料吐出容器を提供し、この毛髪化粧料吐出容器の各容器に、毛髪化粧料が充填され、混合皿の吐出口嵌着部に容器の吐出口が嵌着している毛髪化粧品を提供する。
【００１１】
【発明の実施の形態】
以下、図面を参照しつつ、本発明を詳細に説明する。なお、各図中、同一符号は同一又は同等の構成要素を表している。
【００１２】
図１は、本発明の一実施例の混合皿１０Ａの上面図（ａ）及び断面図（ｂ）であり、図２は、この混合皿１０Ａをエアゾール容器１Ａに取り付けた毛髪化粧品の上面図（ａ）及び部分断面側面図（ｂ）である。
【００１３】
エアゾール容器１Ａは、毛髪化粧料の第１剤と噴射剤を耐圧容器に充填したエアゾール容器１Ａａ、及び毛髪化粧料の第２剤と噴射剤を耐圧容器に充填したエアゾール容器１Ａｂからなる。エアゾール容器１Ａａ、１Ａｂは、それぞれその上端部に、エアゾールバルブから起立したステム３を有し、ステム３を下方に押し下げることにより、ステム３の開口端である吐出口２から内容物が吐出されるようになっている。
【００１４】
このエアゾール容器１Ａに充填する第１剤と第２剤は、公知の二剤形式の毛髪化粧料の第１剤と第２剤とすることができ、例えば、毛髪化粧料が染毛剤である場合、酸化染料を含有する第１剤と過酸化水素を含有する第２剤とすることができ、毛髪化粧料が毛髪脱色剤である場合、アルカリ剤を含有する第１剤と、過酸化水素を含有する第２剤とすることができる。これら第１剤と第２剤には、それぞれ必要に応じて、香料、紫外線吸収剤、金属封鎖剤、殺菌剤、防腐剤、水溶性溶剤、水溶性高分子、保湿剤等を配合してもよい。
【００１５】
また、噴射剤としては、圧縮空気、ＬＰＧ、窒素ガス等が使用される。
【００１６】
混合皿１０Ａは、その背面に２つの吐出口嵌着部１１を有しており、各吐出口嵌着部１１には、エアゾール容器１Ａａ、１Ａｂの吐出口２を形成するステム３が着脱自在に嵌着する。また、各吐出口嵌着部１１は、それぞれ混合皿１０Ａの上面に形成された剤流入口１２と連通している。
【００１７】
この毛髪化粧品の使用時には、図３に矢印で示すように、混合皿１０Ａを下方に押し下げる。すると、各エアゾール容器１Ａａ、１Ａｂのステム３が押し下げられ、混合皿１０Ａの１つの剤流入口１２から第１剤２０ａが吐出されると同時に、他の剤流入口１２から第２剤２０ｂが吐出される。したがって、使用者には、各剤をそれぞれ混合皿１０Ａに吐出させるという煩雑さが生じない。また、使用者は、混合皿１０Ａ上に吐出された第１剤２０ａと第２剤２０ｂを櫛等で混合し、毛髪に塗布するが、その際、第１剤と第２剤の混合状態を目視で確認することができる。したがって、十分に混合した状態で毛髪化粧料を髪に塗布することができ、混合ムラによって引き起こされる染めムラを防止することができる。
【００１８】
図４は、本発明の他の態様の混合皿１０Ｂの上面図（ａ）及び断面図（ｂ）である。この混合皿１０Ｂは、図１の混合皿１０Ａに対して、各剤流入口の周りに液流れ方向規制部材１３が設けられている点が異なっている。この液流れ方向規制部材１３は、剤流入口１２上を覆い、かつ該剤流入口１２から混合皿１０Ｂの中心部に向かう方向に開口１４を設けたものである。
【００１９】
したがって、図５（ｂ）に示すように、混合皿１０Ｂを押し下げて１つの剤流入口１２から第１剤を吐出させると同時に、他の剤流入口１２から第２剤と吐出させると、同図（ａ）に矢印で示すように、第１剤２０ａと第２剤２０ｂはそれぞれ混合皿１０Ｂの中心部に向かう。したがって、混合皿１０Ｂ上での二剤の混合が容易となる。また、剤が上方に突噴すること等により、目にはいることを防止できる。なお、本発明において液流れ方向規制部材１３は、図示した形状に限らず、剤流入口から吐出された剤の液流れ方向を混合皿の中心部方向に規制できる限り、種々の態様をとることができる。
【００２０】
図６の混合皿１０Ｃは、図１の混合皿１０Ａにおいて、剤流入口１２を混合皿の側面に設けたものである。この混合皿１０Ｃによれば、液流れ方向規制部材を別途設けなくても剤の液流れ方向を混合皿の中心部方向とすることができる。
【００２１】
図７は、さらに異なる態様の混合皿１０Ｄの上面図（ａ）及び断面図（ｂ）、（ｃ）である。この混合皿１０Ｄには、エアゾール容器１Ａ上に取り付け、該混合皿１０Ｄを容器１Ａ側に押し込む際に、混合皿１０Ｄ上の押すべき部位を案内する押部１５が設けられている点で、図４の混合皿１０Ｂと異なる。この押部１５は、２つの剤流入口１２の中間に設けられているので、剤を吐出させる際に、押部１５を押し下げると、第１剤と第２剤の双方の容器１Ａａ、１Ａｂのステム３が同量押し下げられる。したがって、双方のステム３の一方が他方よりも押し下げ量が大きく、２つの剤のうち一方が多量に吐出され、第１剤と第２剤の吐出量比が本来の吐出量比から外れるという事態を防止できる。
【００２２】
以上、第１剤及び第２剤をそれぞれ噴射剤と共に耐圧容器に充填したエアゾール容器１Ａに、本発明の混合皿を取り付けた態様について説明したが、本発明の混合皿を取り付けるエアゾール容器はこれに限られない。外側耐圧容器とその内側の内袋からなる二重エアゾール容器とし、内袋に第１剤あるいは第２剤を充填し、内袋と外側耐圧容器との間に噴射剤を充填し、噴射剤が内袋を押圧する圧力によって、第１剤あるいは第２剤が吐出されるようにしたものでもよい。このような二重エアゾール容器を用いると、第１剤あるいは第２剤が噴射剤と混じらないので、第１剤あるいは第２剤の噴射剤による変質を防止することができる。
【００２３】
また、ステムの傾倒によりバルブが開口するチルトバルブを備えたエアゾール容器が知られているが（特開２００１−１５８４８６号公報等）、チルトバルブを備えたエアゾール容器に混合皿を取り付けても良い。図８は、図７の混合皿１０Ｄを、チルトバルブを備えたエアゾール容器１Ｂに取り付けた毛髪化粧品の使用状態の上面図（ａ）及び部分断面側面図（ｂ）、（ｃ）である。同図（ｃ）に矢印で示したように、混合皿１０Ｄの一方の押部１５を軽く押すことにより、第１剤と第２剤のエアゾール容器１Ｂａ、１Ｂｂのステム３は、双方とも同じ角度だけ傾くので、容易に双方の剤を所定量ずつ吐出させることができる。
【００２４】
さらに、ステムの押し下げあるいは傾倒させる釦部を有し、釦部の押圧により内容物を吐出させるエアゾール容器に混合皿を取り付けても良い。この場合、混合皿の押し下げあるいは傾倒により剤を吐出させるのではなく、容器に設けられている釦部を押圧することにより、混合皿内に剤を吐出させることができる。
【００２５】
本発明の混合皿は、エアゾール容器の他に、シリンダーとピストンからなるポンプ装置を備え、ピストンを上下させることにより剤を吐出させるポンプ容器に取り付けても良い。この場合、ポンプ容器の種類には、特に制限はなく、ポンプ装置から容器底部に伸びたディップチューブを備えたもの、可撓性材料からなる内側容器と外形を維持する外側容器との二重容器からなり、ディップチューブを不要としたもの、ピストンを上下させることにより吐出させた剤の量に応じて容器内底部が次第に上昇する可動中皿を備え、ディップチューブを不要としたもの等、種々のポンプ容器を使用することができる。
【００２６】
また、吐出口嵌着部と剤流入口との間にメッシュ部材を設け、剤流入口から混合皿上に剤がフォームとして吐出されるようにしてもよく、吐出口嵌着部と剤流入口との間に弁体を設け、混合皿に吐出された剤が、容器に戻ることを防止してもよい。
【００２７】
本発明の混合皿は、二剤形式の染毛剤又は毛髪脱色剤等の毛髪化粧料の他、２種の塗布剤と希釈剤を混合して使用する三剤形式の毛髪化粧料にも対応させることができる。その場合、混合皿には３つの剤流入口を設け、剤流入口と連通した３つの吐出口嵌着部を混合皿の背面に設ける。
【００２８】
【発明の効果】
本発明によれば、二剤形式の毛髪化粧料の使用に際し、第１剤と第２剤を混合皿に吐出させてそれらの混合状態を目視で確認することが可能となり、さらに各剤をそれぞれ混合皿に吐出させるという煩雑さを解消することが可能となる。
【図面の簡単な説明】
【図１】本発明の混合皿の上面図（ａ）及び断面図（ｂ）である。
【図２】本発明の毛髪化粧品の上面図（ａ）及び部分断面側面図（ｂ）である。
【図３】本発明の毛髪化粧品の使用状態の上面図（ａ）及び部分断面側面図（ｂ）である。
【図４】本発明の他の態様の混合皿の上面図（ａ）及び断面図（ｂ）である。
【図５】図４の混合皿を取り付けた本発明の毛髪化粧品の使用状態の上面図（ａ）及び部分断面側面図（ｂ）である。
【図６】本発明の他の態様の混合皿の上面図（ａ）及び断面図（ｂ）である。
【図７】本発明の他の態様の混合皿の上面図（ａ）及び断面図（ｂ）、（ｃ）である。
【図８】チルトバルブを備えた本発明の毛髪化粧品の使用状態の上面図（ａ）及び部分断面側面図（ｂ）、（ｃ）である。
【符号の説明】
１Ａ    エアゾール容器
１Ａａ  第１剤を充填したエアゾール容器
１Ａｂ  第２剤を充填したエアゾール容器
１Ｂ    チルトバルブを備えたエアゾール容器
１Ｂａ  第１剤を充填した、チルトバルブを備えたエアゾール容器
１Ｂｂ  第２剤を充填した、チルトバルブを備えたエアゾール容器
２      吐出口
３      ステム
１０Ａ、１０Ｂ、１０Ｃ、１０Ｄ  混合皿
１１    吐出口嵌着部
１２    剤流入口
１３    液流れ方向規制部材
１４    開口
１５    押部
２０ａ  第１剤
２０ｂ  第２剤
【図１】
2005006773.tif 000003
【図２】
2005006773.tif 000004
【図３】
2005006773.tif 000005
【図４】
2005006773.tif 000006
【図５】
2005006773.tif 000007
【図６】
2005006773.tif 000008
【図７】
2005006773.tif 000009
【図８】
2005006773.tif 000010